(57)【要約】【課題】発酵物の発酵状態を非侵襲的且つ高精度に診断することができる発酵状態監視装置、発酵装置及び発酵装置の制御方法を提供する。【解決手段】発酵状態監視装置１００は、発酵物２に光を照射して発酵物２からの反射光を計測する光学計測器１と、反射光の光学スペクトルに基づいて発酵物２中の代謝成分の状態量を求める分析装置１５と、発酵物２中の代謝成分の状態量に基づいて発酵状態を診断する診断装置１６とを備える。発酵装置は、半固体状物を発酵させる発酵用容器２１を更に備える。発酵装置の制御方法は、発酵用容器２１内で発酵している発酵物２に光を照射して発酵物２からの反射光を計測する計測工程と、反射光の光学スペクトルに基づいて発酵物２中の代謝成分の状態量を求める分析工程と、発酵物２中の代謝成分の状態量に基づいて発酵状態を診断する診断工程と、を含む。【選択図】図１
2020165704.tif 000002
【特許請求の範囲】
【請求項１】
発酵物に光を照射して前記発酵物からの反射光又は透過光を計測する光学計測器と、
前記反射光又は透過光の光学スペクトルに基づいて前記発酵物中の代謝成分の状態量を求める分析装置と、
前記発酵物中の代謝成分の状態量に基づいて発酵状態を診断する診断装置と、
前記発酵状態の診断結果を表示する表示手段と、を備える発酵状態監視装置。
【請求項２】
請求項１に記載の発酵状態監視装置であって、
前記発酵物中の代謝成分の状態量は、代謝成分の濃度、又は、代謝成分の濃度の時間変化量である発酵状態監視装置。
【請求項３】
請求項１に記載の発酵状態監視装置であって、
前記光学計測器は、発酵物に近赤外光を照射して前記発酵物の表面からの反射光を検出する反射測定型の近赤外分光計測器である発酵状態監視装置。
【請求項４】
請求項１に記載の発酵状態監視装置であって、
前記発酵物の高さを計測する距離センサを備え、
前記診断装置は、前記発酵物中の代謝成分の状態量と、前記発酵物の高さと、に基づいて発酵状態を診断する発酵状態監視装置。
【請求項５】
請求項１に記載の発酵状態監視装置であって、
前記診断装置は、発酵状態が正常である発酵物について計測された前記状態量の計測データを、データの類似度に応じたカテゴリ毎に分類された状態でデータベースに格納している発酵状態監視装置。
【請求項６】
請求項５に記載の発酵状態監視装置であって、
前記診断装置は、発酵状態が未知の発酵物について計測された前記状態量の計測データについて、発酵状態が正常である発酵物の計測データで構成される前記カテゴリに分類されないことを示す数量を定量し、発酵状態が未知の発酵物について計測された前記状態量の計測データが前記カテゴリに分類されないことを示す前記数量が、予め設定されている閾値を超えたとき、前記発酵物の発酵状態が異常であると診断し、
前記表示手段は、前記発酵物の発酵状態が異常であると診断されたとき、前記発酵物の発酵状態が不良である旨を表示する発酵状態監視装置。
【請求項７】
請求項５に記載の発酵状態監視装置であって、
前記診断装置は、発酵物について計測された前記状態量の計測データを、データの類似度に応じた複数のカテゴリ毎に分類し、前記計測データが、前記データベースに格納されている既存のカテゴリに分類されないとき、新しいカテゴリを生成して当該計測データを帰属させる発酵状態監視装置。
【請求項８】
半固体状物を発酵させる発酵用容器と、
前記発酵用容器内で発酵している発酵物に光を照射して前記発酵物からの反射光又は透過光を計測する光学計測器と、
前記反射光又は透過光の光学スペクトルに基づいて前記発酵物中の代謝成分の状態量を求める分析装置と、
前記発酵物中の代謝成分の状態量に基づいて発酵状態を診断する診断装置と、を備える発酵装置。
【請求項９】
請求項８に記載の発酵装置であって、
前記発酵状態の診断結果を表示する表示手段を備える発酵装置。
【請求項１０】
請求項８に記載の発酵装置であって、
前記発酵状態の診断結果に基づいて発酵条件を制御する制御装置を備える発酵装置。
【請求項１１】
請求項１０に記載の発酵装置であって、
前記制御装置は、発酵状態が異常であると診断されたとき、前記発酵物の発酵温度を高くする制御を行う発酵装置。
【請求項１２】
半固体状物を発酵させる発酵用容器を備える発酵装置の制御方法であって、
前記発酵用容器内で発酵している発酵物に光を照射して前記発酵物からの反射光又は透過光を計測する計測工程と、
前記反射光又は透過光の光学スペクトルに基づいて前記発酵物中の代謝成分の状態量を求める分析工程と、
前記発酵物中の代謝成分の状態量に基づいて発酵状態を診断する診断工程と、を含む発酵装置の制御方法。
【請求項１３】
請求項１２に記載の発酵装置の制御方法であって、
前記診断工程において、
発酵状態が正常である発酵物について計測された前記状態量の計測データを、データの類似度に応じた複数のカテゴリ毎に分類し、
発酵状態が未知の発酵物について計測された前記状態量の計測データについて、発酵状態が正常である発酵物の計測データで構成される前記カテゴリに分類されないことを示す
数量を定量し、
発酵状態が未知の発酵物について計測された前記状態量の計測データが前記カテゴリに分類されないことを示す前記数量が、予め設定されている閾値を超えたとき、前記発酵物の発酵状態が異常であると診断し、
前記発酵物の発酵状態が異常であると診断されたとき、前記発酵物の発酵を停止するか、又は、前記発酵物の発酵温度を高くする発酵装置の制御方法。
【請求項１４】
請求項１２に記載の発酵装置の制御方法であって、
前記代謝成分は、グルコース、二酸化炭素、ピルビン酸、アセトアルデヒド、エタノール、乳酸、オキサロ酢酸、Ｌ−リンゴ酸、フマル酸、及び、コハク酸のうちの一種以上である発酵装置の制御方法。
【発明の詳細な説明】
【技術分野】
【０００１】
本発明は、発酵物の発酵状態を非侵襲的に診断する発酵状態監視装置、発酵装置及び発酵装置の制御方法に関する。
【背景技術】
【０００２】
膨化食品であるパンは、混合、発酵、焼き等の工程を経て工業的に製造されている。混合の工程では、小麦粉、ライ麦粉等に、イーストや化学的膨張剤、水、塩等がブレンドされてパン生地が作られる。発酵の工程では、半固体状のパン生地が発酵させられて膨張した状態になる。焼きの工程では、膨張した状態のパン生地が高温に加熱されて焼かれる。
【０００３】
発酵の基質である糖等を含むパン生地は、発酵によって、二酸化炭素（ＣＯ２）、エタノール（Ｃ２Ｈ５ＯＨ）、乳酸（Ｃ３Ｈ６Ｏ３）、Ｌ−リンゴ酸（Ｃ４Ｈ６Ｏ５）、コハク酸（Ｃ４Ｈ６Ｏ４）等を生成する。二酸化炭素は、パン生地中に気泡を形成して膨らませ、パンの仕上がりの質感を左右する。また、エタノール、乳酸、Ｌ−リンゴ酸、コハク酸等は、固有の味・香りをもたらす。これらの発酵成分が生成したパン生地が焼かれると、パンに固有の芳香・焼き色が加わり、目的の品質の完成品が得られる。
【０００４】
工業的な製パンのプロセスでは、発酵の工程が、完成品の品質に関わる重要な工程として位置付けられている。発酵の工程で問題となる事象としては、イーストの代謝異常等が原因で起こる発酵不良がある。発酵が不足すると、パン生地が十分に膨張せず、固有の味・香りをもたらす代謝成分が少なくなる。このような非発酵のパン生地が焼きの工程に送られた場合、完成品群の中に、風味や仕上がりの美観が悪い不良品が混在した状態になる問題がある。
【０００５】
従来、パン生地をはじめ、半固体状物を加工・発酵させる製造プロセスにおいて、製造プロセスの異常の有無を確認・診断する技術が提案されている。
【０００６】
特許文献１には、パン生地の発酵状態を確認する技術が記載されている。特許文献１では、パン生地を収容する密閉容器内の圧力を計測する圧力測定手段と、パン生地の高さを計測する高さ測定手段と、を備える装置で、パン生地から発生するガスの圧力変化とパン生地の高さの変化とを測定し、圧力データと高さデータを基準データと比較している。
【０００７】
特許文献２には、豆腐、こんにゃく等のゲル形成性食品の物性変化を測定する技術が記載されている。特許文献２では、可視光から赤外線領域の特定波長領域の光を用いる分光分析計測システムによって、ゲル形成性食品の成分含量変化を伴わない物性変化を測定している。
【先行技術文献】
【特許文献】
【０００８】
【特許文献１】特許第４４８６０２１号公報
【特許文献２】特許第４６９７７６４号公報
【発明の概要】
【発明が解決しようとする課題】
【０００９】
中間製品を加工する製造プロセスにおいて、製造プロセスの異常の有無は、プロセス中の中間製品の物理的な状態量、例えば、高さ、体積等を計測すると、或る程度の精度で診断することができる。しかし、プロセス中の中間製品が、パン生地のように発酵物である場合には、完成品の品質がプロセス中の発酵状態によって大きく左右される。製品間・ロット間で均一に近い品質を実現し、製造プロセスにおける歩留りを向上させるには、物理的な状態量の計測だけではなく、より直接的な指標による診断が望まれる。
【００１０】
特許文献１に記載された技術では、物理的な状態量である圧力、高さ等が計測されている。しかし、パンの風味は発酵成分の影響を受けるため、十分な品質管理を行うのは難しいと考えられる。特許文献１には、より正確な確認を行うために用いる手段として温度測定手段が記載されているが、パン生地の内部に侵入させて検知する温度センサでは、パン生地が汚染される虞がある。
【００１１】
また、特許文献２に記載された技術では、ゲル形成性食品の破断力、硬さ、弾力、保水性、粘度、流動性、凝固、沈殿物の有無が計測されている。しかし、これらの状態量は、いずれも物理的な状態量であるといえる。特許文献２に記載された技術は、プロセス中の発酵状態のような化学的な状態を診断するものとはなっていない。
【００１２】
そこで、本発明は、発酵物の発酵状態を非侵襲的且つ高精度に診断することができる発酵状態監視装置、発酵装置及び発酵装置の制御方法を提供することを目的とする。
【課題を解決するための手段】
【００１３】
前記課題を解決するために本発明に係る発酵状態監視装置は、発酵物に光を照射して前記発酵物からの反射光又は透過光を計測する光学計測器と、前記反射光又は透過光の光学スペクトルに基づいて前記発酵物中の代謝成分の状態量を求める分析装置と、前記発酵物中の代謝成分の状態量に基づいて発酵状態を診断する診断装置と、前記発酵状態の診断結果を表示する表示手段と、を備える。
【００１４】
また、本発明に係る発酵装置は、半固体状物を発酵させる発酵用容器と、前記発酵用容器内で発酵している発酵物に光を照射して前記発酵物からの反射光又は透過光を計測する光学計測器と、前記反射光又は透過光の光学スペクトルに基づいて前記発酵物中の代謝成分の状態量を求める分析装置と、前記発酵物中の代謝成分の状態量に基づいて発酵状態を診断する診断装置と、を備える。
【００１５】
また、本発明に係る発酵装置の制御方法は、半固体状物を発酵させる発酵用容器を備える発酵装置の制御方法であって、前記発酵用容器内で発酵している発酵物に光を照射して前記発酵物からの反射光又は透過光を計測する計測工程と、前記反射光又は透過光の光学スペクトルに基づいて前記発酵物中の代謝成分の状態量を求める分析工程と、前記発酵物中の代謝成分の状態量に基づいて発酵状態を診断する診断工程と、を含む。
【発明の効果】
【００１６】
本発明に係る発酵状態監視装置、発酵装置及び発酵装置の制御方法は、発酵物の発酵状態を非侵襲的且つ高精度に診断することができる。
【図面の簡単な説明】
【００１７】
【図１】本発明の実施形態に係る発酵状態監視装置の一例を模式的に示す図である。
【図２】診断装置の構成を示すブロック図である。
【図３】データを分類する処理について説明する図である。
【図４】データを分類する処理で得られる結果の一例を示す図である。
【図５】分類した結果を診断に用いる処理について説明する図である。
【図６】発酵状態監視装置の診断フェーズにおける運転を示す図である。
【図７】発酵状態監視装置の診断フェーズにおける使用態様の一例を模式的に示す図である。
【図８】発酵状態監視装置の診断フェーズにおける運転を示す図である。
【図９】発酵装置の診断フェーズにおける運転を示す図である。
【図１０】アルコール発酵の代謝経路を示す図である。
【図１１】還元的クエン酸回路の代謝経路を示す図である。
【図１２】パン生地の発酵状態を診断した結果を示す図である。
【発明を実施するための形態】
【００１８】
以下、本発明の一実施形態に係る発酵状態監視装置、発酵装置及び発酵装置の制御方法について、図を参照しながら説明する。なお、以下の各図において共通する構成については同一の符号を付し、重複した説明を省略する。
【００１９】
図１は、本発明の実施形態に係る発酵状態監視装置の一例を模式的に示す図である。
図１に示すように、本実施形態に係る発酵状態監視装置１００は、温度及び湿度が管理される発酵室２０の内部に備えられる。発酵状態監視装置１００は、光学計測器１と、アンプ１３と、Ａ／Ｄコンバータ１４と、分析制御装置（分析装置）１５と、診断装置１６と、昇降装置２２と、距離センサ２３と、を備えている。
【００２０】
発酵状態監視装置１００は、光学計測器１による計測に基づいて、発酵の基質を原材料として含む半固体状物（発酵物）２の発酵状態を監視する。発酵状態監視装置１００は、半固体状物２の発酵中又は発酵後に、半固体状物２の発酵状態が異常であるか否かを診断し、発酵により生産される発酵物の発酵状態が正常であるか不良であるかについて診断結果を示す。
【００２１】
光学計測器１は、発酵室２０の内部の上方に、昇降装置２２を介して取り付けられる。光学計測器１の下方には、発酵用容器２１が載置される。発酵用容器２１は、半固体状物２を入れる箱型の容器である。半固体状物２は、発酵用容器２１内で発酵して目的の発酵物となる。
【００２２】
発酵用容器２１で発酵させる半固体状物２としては、発酵の基質を原材料として含む半流動的な物質を用いることができる。発酵させる半固体状物２の具体例としては、パン生地が挙げられる。パン生地は、未発酵の直捏ね生地であってもよいし、中種を加えた本捏ね生地であってもよい。中種は、本発酵の事前に一部の原材料を予め発酵させて、半固体の状態（中種生地）や液体の状態（液種）として加えることができる。
【００２３】
発酵室２０には、室内の温度を制御する温度制御装置１７、室内の湿度を制御する湿度制御装置１８、温度を測定する温度センサ２４、湿度を測定する湿度センサ２５が備えられる。温度制御装置１７、湿度制御装置１８、温度センサ２４、及び、湿度センサ２５は、発酵制御装置１９と電気的に接続される。
【００２４】
光学計測器１は、発酵用容器２１内で発酵している半固体状物（発酵物）２に光を照射して半固体状物２からの反射光を計測する。半固体状物２が発酵すると、微生物の代謝によって、種々の化学物質の生成や分解が起こる。光学計測器１は、このような発酵時の反応に関わっている種々の代謝成分の状態量を定量するために用いられる。
【００２５】
光学計測器１としては、例えば、近赤外分光計測器、中赤外分光計測器、ラマン分光計測器等を用いることができる。近赤外分光計測器では、波長８００〜２５００ｎｍの赤外光が用いられる。中赤外分光計測器では、波長２．５〜２５μｍの赤外光が用いられる。これらの分光計測器によると、分子構造に固有な分子振動による光吸収が検出されるため、代謝成分の定性分析及び定量分析が可能である。
【００２６】
光学計測器１としては、半固体状物（発酵物）２に近赤外光を照射して半固体状物２の表面からの反射光を検出する反射測定型の近赤外分光計測器が特に好ましい。以下では、光学計測器１として、反射測定型・非分散型の近赤外分光計測器を用いる例を説明する。
【００２７】
図１に示すように、光学計測器１は、近赤外線領域の赤外光（試料光５，参照光６）を出射する光源３と、偏心した位置にフィルタ付きの孔が設けられた回転盤４と、赤外光である試料光５を試料に照射するための投光ミラー７と、試料から反射した反射光を集光する集光ミラー８と、反射光を分光する光学フィルタ９と、反射光を検出する検出器１０と、赤外光である参照光６を反射する反射ミラー１１，１２と、を備えている。
【００２８】
光源３は、赤外光である試料光５及び参照光６を、回転盤４に向けて出射する。光学計測器２１において、赤外光の光路は二つある。試料光５及び参照光６は、光源３から並行に進み、試料光５は投光ミラー７に向かい、参照光６は反射ミラー１１に向かう。試料光５及び参照光６が進む光路上には、不図示のモータによって回動が駆動される回転盤４が設けられている。回転盤４の孔には、所定の波長領域の赤外光を透過させる光学フィルタが取り付けられている。
【００２９】
回転盤４は、間欠的に回動することによって、光学フィルタが取り付けられた孔の位置を、試料光５の光路側、及び、参照光６の光路側のうち、いずれかに移動させる。参照光６が回転盤４で遮断されるとき、試料光５が孔を通る。一方、試料光５が回転盤４で遮断されるとき、参照光６が孔を通る。そのため、断続的な所定の波長領域の赤外光が、回転盤４を交互に通過して試料や検出器１０に向かう。
【００３０】
回転盤４を通過した試料光５は、投光ミラー７にあたって反射されて、発酵用容器２１に入れられた半固体状物２に照射される。半固体状物２に照射された赤外光は、半固体状物２に含まれる成分によって吸収・散乱される。半固体状物２に照射された赤外光の一部は、半固体状物２の表面で反射し、集光ミラー８にあたって集光され、光学フィルタ９を通って検出器１０に入射する。
【００３１】
一方、回転盤４を通過した参照光６は、反射ミラー１１，１２にあたって反射され、半固体状物２に照射されることなく、光学フィルタ９を通って検出器１０に入射する。試料光５や参照光６が検出器１０に入射すると、光検出素子によって電気信号に変換される。光学計測器１による電気信号は、アンプ１３で増幅され、Ａ／Ｄコンバータ１４でデジタル信号に変換されて、分析制御装置１５に入力される。
【００３２】
計測の対象である半固体状物２では、発酵の進行に伴い、炭素−水素結合等を含む種々の有機物が生成したり分解されたりする。しかし、通常、半固体状物２は、光の透過率が低く、内部や表面に多量の水分を含んでいる。反射測定型の近赤外分光計測器によると、このような半固体状物２に含まれる代謝成分の定性分析及び定量分析が可能である。近赤外光によると、吸光度が比較的弱くなるため、測定試料を調製しなくとも、発酵中の半固体状物２をリアルタイムで直接的に計測することができる。
【００３３】
距離センサ２３は、発酵用容器２１内の半固体状物２（発酵物）の高さを計測する。半固体状物２が発酵すると、二酸化炭素の発生によって、半固体状物２が膨張して、高さや体積が増大する。距離センサ２３は、光学計測器１と半固体状物２の表面との間の距離を調整する目的や、発酵状態の診断に用いる半固体状物２の状態量、例えば、半固体状物２の高さ、体積等を計測する目的で用いられる。
【００３４】
距離センサ２３としては、例えば、赤外線レーザ等を照射して反射光を計測する反射型のレーザ式センサを備えることができる。距離センサ２３が測定した半固体状物２の高さの電気信号は、分析制御装置１５に入力される。
【００３５】
昇降装置２２は、光学計測器１を発酵室２０内に支持している。昇降装置２２は、光学計測器１を発酵室２０内に載置される発酵用容器２１に対して昇降可能に設けられている。光学計測器１による計測を行う発酵中には、光学計測器１と半固体状物２の表面との間の距離が、昇降装置２２によって、計測に適した所定の範囲内に保たれる。
【００３６】
分析制御装置１５は、光学計測器１の制御や、光学計測器１による計測結果の分析を行う。また、分析制御装置１５は、距離センサ２３による計測結果の演算を行う。光学計測器１の光源３や回転盤４の動作、検出器１０や距離センサ２３による検出、昇降装置２２の動作等は、分析制御装置１５によって制御される。
【００３７】
分析制御装置１５は、光学計測器１による半固体状物２の計測が行われると、試料光５による半固体状物２からの反射光の光強度と、参照光６の光強度との差分から、半固体状物２からの反射光の光学スペクトルを求める。光学スペクトルの吸収波長は、半固体状物２の表面に存在する成分の伸縮振動や変角振動に固有である。また、吸光度は、半固体状物２の表面に存在する成分の量（厚さ）に比例する。そのため、吸収波長と吸光度との関係を示す光学スペクトルに基づいて、代謝成分の種類毎に状態量を求めることができる。
【００３８】
分析制御装置１５は、光学計測器１による半固体状物２の計測が行われると、半固体状物２（発酵物）からの反射光の光学スペクトルに基づいて半固体状物２中の代謝成分の状態量を求める成分分析を行う。分析する代謝成分の種類は、一種であってもよいし、複数種であってもよいが、複数種であることが好ましい。分析する代謝成分は、発酵によって生成する成分であってもよいし、発酵によって減少する成分であってもよい。
【００３９】
分析する代謝成分の具体例としては、グルコース等の発酵の基質や、二酸化炭素、ピルビン酸、アセトアルデヒド、エタノール、乳酸、オキサロ酢酸、Ｌ−リンゴ酸、フマル酸、コハク酸等が挙げられる。分析する代謝成分の種類は、特に制限されるものではないが、少なくとも有機物を含む複数種を分析することが好ましい。
【００４０】
分析する代謝成分の状態量の具体例としては、代謝成分の濃度［Ｃｉ（ｔ）］、代謝成分の濃度の時間変化量［ｄＣｉ（ｔ）／ｄｔ］等が挙げられる。発酵状態の診断には、これらの状態量のうち、一種を用いてもよいし、複数種を用いてもよい。これらの状態量は、所定のサンプリング間隔の計測によって、発酵を開始してから半固体状物２の計測を行うまでの経過時間（発酵時間）と紐付けられる。
【００４１】
代謝成分の状態量を求める成分分析の方法としては、多変量解析、単波長解析等を用いることができる。多変量解析の手法としては、例えば、重回帰分析、クラスタ分析、主成分分析等の各種の手法を、任意の波長領域を用いた計測に適用することができる。単波長解析の手法としては、光の吸収が特定の成分に強く依存するような波長領域の単波長光を用いて計測を行い、状態量が未知の試料の光強度を、状態量が既知の試料で作成した検量線と比較する方法が挙げられる。
【００４２】
代謝成分の状態量を求める成分分析の方法としては、重回帰分析を用いることが好ましい。重回帰分析を用いる場合、光スペクトルと代謝成分の状態量との関係を求めるために、状態量が既知である多数の試料を用いて、多数の計測を行っておく必要がある。しかし、重回帰分析によると、共線性が低い代謝成分を適切に解析することにより、発酵状態の診断に有効な多種類の代謝成分の状態量を、比較的高い精度で求めることができる。
【００４３】
また、分析制御装置１５は、距離センサ２３による計測が行われると、光学計測器１と半固体状物２の表面との間の距離に基づいて半固体状物（発酵物）２の状態量を求める演算を行う。演算する半固体状物の状態量の種類は、一種であってもよいし、複数種であってもよい。
【００４４】
演算する半固体状物２の状態量の具体例としては、半固体状物２の高さ［Ｈ（ｔ）］、半固体状物２の体積［Ｖ（ｔ）］、半固体状物２の高さの時間変化量［ｄＨ（ｔ）／ｄｔ］、半固体状物２の体積の時間変化量［ｄＶ（ｔ）／ｄｔ］等が挙げられる。発酵状態の診断には、これらの状態量のうち、一種を用いてもよいし、複数種を用いてもよい。これらの状態量は、所定のサンプリング間隔の計測によって、半固体状物２中の代謝成分の状態量と同じ発酵時間と紐付けられる。
【００４５】
半固体状物２中の代謝成分の状態量のデータや、半固体状物２の状態量のデータは、所定のサンプリング間隔で計測された後、発酵を開始してから半固体状物２の計測を行うまでの経過時間（発酵時間）と紐付けられることにより、多次元データである計測データを構成する。計測データは、診断装置１６に入力される。
【００４６】
なお、発酵状態の診断において、複数種の代謝成分の状態量を用いる場合には、発酵状態の診断に半固体状物２の状態量を用いなくてもよい。発酵状態の診断に半固体状物２の状態量を用いない場合には、分析制御装置１５で半固体状物２の状態量を求めなくてもよい。
【００４７】
診断装置１６は、半固体状物（発酵物）２中の代謝成分の状態量や、半固体状物２の状態量に基づいて、半固体状物２の発酵状態を診断する。発酵状態の診断では、クラスタリング技術が用いられる。診断装置１６では、発酵状態が未知の発酵物について計測された計測データが、データの類似度に応じたカテゴリ毎に分類される。そして、発酵状態が未知の発酵物について計測された計測データが、発酵状態が未知の発酵物について計測された既存の計測データと同じカテゴリに分類されるかどうかに基づいて、半固体状物２の発酵状態を診断する。
【００４８】
温度制御装置１７は、発酵室２０内の温度を所定の温度域に制御するための装置である。温度制御装置１７としては、例えば、電気オーブン式装置、ガスオーブン式装置、電磁誘導加熱式装置、蒸気加熱式装置等の各種の装置を備えることができる。温度制御装置１７は、発酵室２０内の温度センサ２４による計測に基づいて、発酵制御装置１９により制御される。
【００４９】
湿度制御装置１８は、発酵室２０内の湿度を所定の湿度域に制御するための装置である。湿度制御装置１８としては、例えば、電熱式加湿器、電極式加湿器、遠心式加湿器、噴霧式加湿器等の各種の装置を備えることができる。湿度制御装置１８は、発酵室２０内の湿度センサ２５による計測に基づいて、発酵制御装置１９により制御される。
【００５０】
図２は、診断装置の構成を示すブロック図である。
図２に示すように、診断装置１６は、外部入力インターフェイス２１０と、外部出力インターフェイス２２０と、計測データを格納する計測データベース２３０と、データをクラスタリングする演算装置である分類手段２４０と、分類結果データを格納する分類結果データベース２５０と、発酵状態の診断を行う演算装置である診断手段２６０と、を備えている。
【００５１】
分類手段２４０や診断手段２６０は、例えば、ＣＰＵ（Central Processing Unit）、ＭＰＵ（Micro Processing Unit）等の演算装置によって構成することができる。計測データベース２３０や分類結果データベース２５０は、例えば、ハードディスク等の記憶装置によって構成することができる。診断装置１６には、分析制御装置１５、入力手段１２０及び表示手段１４０が、電気的に接続される。
【００５２】
入力手段１２０は、診断装置１６を操作するためのデータの入力に用いる装置である。入力手段１２０は、例えば、キーボード、マウス、タッチパッド、トラックボール等の各種の装置によって構成することができる。
【００５３】
表示手段１４０は、診断装置１６によって診断された発酵状態の診断結果を表示する装置である。表示手段１４０は、例えば、液晶ディスプレイ、プラズマディスプレイ、有機ＥＬディスプレイ、ブラウン管の各種の装置によって構成することができる。
【００５４】
表示手段１４０は、半固体状物２の発酵状態の診断結果として、半固体状物２の発酵状態が不良である旨や、半固体状物２に異常発酵が発生した旨等を、例えば、言語、記号、色等で操作者に表示する。表示する診断結果の内容としては、計測データの分類の結果を示すテーブルの表示、マッピングの表示、計測データが分類されたカテゴリの代表値の表示等が含まれていてもよい。
【００５５】
診断装置１６には、半固体状物２中の代謝成分の状態量のデータや半固体状物２の状態量のデータを含む多次元データである計測データの信号が、外部入力インターフェイス２１０を介して入力される。分析制御装置１５から送られる計測データは、計測データベース２３０に格納される。また、診断装置１６には、操作者によって入力手段１２０に入力された診断装置１６を操作するための信号が、外部入力インターフェイス２１０を介して入力される。
【００５６】
診断装置１６からは、診断装置１６によって診断された半固体状物２の発酵状態の診断結果を表示するための画像信号が、外部出力インターフェイス２２０を介して表示手段１４０に出力される。
【００５７】
分類手段２４０は、クラスタリング技術を用いて、半固体状物２中の代謝成分の状態量のデータや半固体状物２の状態量のデータを含む多次元データである計測データを、データの類似度に応じたカテゴリ毎に分類する。分類手段２４０は、所定のアルゴリズムに従って、計測データベース２３０に格納された計測データをカテゴライズし、特定のカテゴリと紐付けられた計測データに相当する分類結果データを、分類結果データベース２５０に格納する。
【００５８】
分類結果データベース２５０は、半固体状物２の発酵状態の診断の事前に、発酵状態が正常である発酵物について計測された計測データを、データの類似度に応じたカテゴリ毎に分類された状態で格納している状態に用意される。発酵状態が正常である発酵物について計測された計測データが帰属するカテゴリは、発酵状態が正常であることを示す正常カテゴリとなる。
【００５９】
診断手段２６０は、発酵状態が未知の発酵物について計測された計測データについて、発酵状態が正常である発酵物の計測データで構成される正常カテゴリに分類されないことを示す数量を定量する。発酵状態が未知の発酵物について計測された現在の計測データは、分析制御装置１５から入力される。既存の正常カテゴリのデータは、分類結果データベース２５０から取得される。そして、定量の結果に基づいて半固体状物２の発酵状態を診断する。発酵状態の診断結果は、外部出力インターフェイス２２０に出力され、画像データに変換されて表示手段１４０に出力される。
【００６０】
図３は、データを分類する処理について説明する図である。
図３には、クラスタリング技術の一種である適応共鳴理論（Adaptive Resonance Theory：ＡＲＴ）を用いた分類手段２４０における処理を示す。図３に示すように、ＡＲＴを用いた分類手段２４０は、データ前処理装置３１０と、ＡＲＴモジュール３２０と、を備える。
【００６１】
ＡＲＴでは、半固体状物２中の代謝成分の状態量のデータや半固体状物２の状態量のデータを含む多次元データである計測データを、データの類似度に応じたカテゴリに分類することができる。計測データが既存のカテゴリに分類されないとき、新規のカテゴリが自動生成されるため、計測データのパターンを機械学習させることができる。発酵状態が正常であることを示す正常カテゴリを学習させると、そのカテゴリへの帰属の程度に基づいて、異常を診断することができる。
【００６２】
データ前処理装置３１０には、計測データが入力される。データ前処理装置３１０では、入力された計測データが、所定のアルゴリズムに従って、以下の手順で、ＡＲＴモジュール３２０への入力データに変換される。
【００６３】
データ前処理装置３１０では、はじめに、多次元データである計測データの項目毎に、最大値と最小値を計算する。計算した最大値と最小値は、計測データベース２３０に格納される。
【００６４】
続いて、計算した最大値と最小値を用いてデータを正規化する。ｘｉで表されるデータの数がＮ個、ｎ番目の計測値がｘｉ（ｎ）、Ｎ個中の最大値がＭａｘ＿ｉ、Ｎ個中の最小値がＭｉｎ＿ｉとすると、正規化したデータＮｘｉ（ｎ）は、次の数式で表される。
Ｎｉｘ（ｎ）＝α＋（１−α）×（ｘｉ（ｎ）−Ｍｉｎ＿ｉ）
／（Ｍａｘ＿ｉ−Ｍｉｎ＿ｉ）・・・（１）
ここで、αは０≦α＜０.５を満たす定数である。データは［α，１−α］の範囲に正規化される。
【００６５】
続いて、正規化したデータＮｉｘ（ｎ）の補数を計算して入力データに加える。正規化したデータＮｘｉ（ｎ）の補数ＣＮｘｉ（ｎ）は、次の数式で表される。
ＣＮｘｉ（ｎ）＝１−Ｎｘｉ（ｎ）・・・（２）
正規化したデータＮｘｉ（ｎ）及び補数ＣＮｘｉ（ｎ）からなる入力データは、ＡＲＴモジュール３２０に入力される。
【００６６】
ＡＲＴモジュール３２０では、データ前処理装置３１０で変換された入力データが、複数のカテゴリに分類される。ＡＲＴモジュール３２０は、Ｆ０レイヤ３２１と、Ｆ１レイヤ３２２と、Ｆ２レイヤ３２３と、メモリ３２４と、Ｏｒｉｅｎｔｉｎｇ  Ｓｕｂｓｙｓｔｅｍ（選択サブシステム）３２５と、を相互に結合した状態で備えている。
【００６７】
Ｆ１レイヤ３２２とＦ２レイヤ３２３とは、重み係数を介して結合している。重み係数は、カテゴリの原型であるプロトタイプを表している。Ｆ０レイヤ３２１では、入力データを各時刻で再度正規化し、Ｆ１レイヤ３２２及び選択サブシステム３２５に入力する正規化入力ベクトルを作成する。Ｆ１レイヤ３２２では、正規化入力ベクトルを短期記憶として保持し、Ｆ２レイヤ３２３への入力を計算する。ＡＲＴモジュール３２０では、次のステップＳ１〜Ｓ５の順に処理が行われる。
【００６８】
ステップＳ１では、Ｆ０レイヤにより入力ベクトルの大きさが１になるように正規化される。また、ノイズが除去される。
【００６９】
ステップＳ２では、Ｆ１レイヤに入力された入力データと重み係数との比較により、ふさわしいカテゴリの候補が選択される。
【００７０】
ステップＳ３では、選択サブシステムで選択したカテゴリの妥当性がパラメータρとの比較により評価される。妥当であると、入力データは、そのカテゴリに分類されてステップＳ４に進む。妥当でないと、そのカテゴリはリセットされ、他のカテゴリから、ふさわしいカテゴリの候補が選択される（ステップＳ２に戻る）。
【００７１】
パラメータρは、警戒パラメータと呼ばれる。パラメータρの値を大きくすると、カテゴリの数が多くなり、データの分類が細かくなる。反対に、パラメータρの値を小さくすると、カテゴリの数が少なくなり、データの分類が粗くなる。
【００７２】
ステップＳ４では、全ての既存のカテゴリがリセットされると、新しく選択されたカテゴリの候補が新規カテゴリと判断され、新規カテゴリのプロトタイプを表す新しい重み係数を生成する。
【００７３】
ステップＳ５では、入力データがカテゴリＪに分類されると、カテゴリＪに対応する重み係数ＷＪ（ｎｅｗ）が、過去の重み係数ＷＪ（ｏｌｄ）と入力データｐ（または、入力データから派生したデータ）から、次の数式で更新される。
ＷＪ（ｎｅｗ）＝Ｋｗ・ｐ＋（１−Ｋｗ）・ＷＪ（ｏｌｄ）・・・（３）
ここで、Ｋｗは、学習率パラメータである。学習率パラメータは、入力ベクトルを新しい重み係数に反映させる度合いを決定する。
【００７４】
このようなＡＲＴを用いた処理によると、計測データは、計測された項目毎のデータの類似度に応じたカテゴリ毎に分類される。既存のカテゴリに類似していない計測データは、新しく生成される新規のカテゴリに分類される。計測データに対応したカテゴリを記憶しつつ新規のカテゴリを自動生成させて教師なし学習を行うことができるため、診断の精度を計測毎に段階的に高めながら、高精度な診断を実現することができる。
【００７５】
表１は、計測データのデータベースの一例である。表１では、半固体状物２中の代謝成分の状態量のデータとして、３種類の代謝成分（Ｃ１，Ｃ２，Ｃ３）の濃度［Ｃｉ（ｔ）］のデータと、３種類の代謝成分（Ｃ１，Ｃ２，Ｃ３）の濃度の時間変化量［ｄＣｉ（ｔ）／ｄｔ］のデータを示している。また、半固体状物２の状態量のデータとして、半固体状物２の高さ［Ｈ（ｔ）］のデータを示している。
【００７６】
【表１】
2020165704.tif 000003
【００７７】
表１に示すデータベースは、発酵時間［ｔ］のデータを含む多数の計測データを時系列で整理されるように格納している。発酵時間［ｔ］は、発酵を開始してから半固体状物２の計測を行うまでの経過時間である。発酵時間毎の計測データは、分類手段２４０によってカテゴライズされると、分類結果データベース２５０に格納される。計測データに付与されているカテゴリ識別番号は、カテゴリの識別子の一例である。
【００７８】
図４は、データを分類する処理で得られる結果の一例を示す図である。
図４に示すように、多数の半固体状物２を任意の発酵条件で発酵させて発酵時間毎の計測データを取得し、得られた計測データをデータの類似度に応じて分類すると、パラメータの設定により、通常、複数のカテゴリに分類される。図４には、半固体状物２中の代謝成分の状態量として、３種類の代謝成分の濃度（Ｃ１，Ｃ２，Ｃ３）のデータを含む多次元データである計測データが、４つのカテゴリ（Ｃａｔ．１〜４）に分類されたときのマッピングの結果を示している。
【００７９】
図４に示す４つのカテゴリ（Ｃａｔ．１〜４）に分類された計測データを取得した半固体状物２について、完成品の発酵状態が正常であることが確認されているとすると、これらのカテゴリ（Ｃａｔ．１〜４）は、発酵状態が正常であることを示す正常カテゴリとなる。正常カテゴリは、多数の半固体状物２を任意の発酵条件で発酵させて発酵時間毎の計測データを収集することにより、診断装置１６に予め記憶させておくことができる。
【００８０】
図５は、分類した結果を診断に用いる処理について説明する図である。
図５に示すように、診断の対象である半固体状物２を発酵させて、発酵時間毎に計測データを取得し、得られた計測データをデータの類似度に応じて分類すると、半固体状物２の発酵状態が正常であれば、現在の計測データが既存のカテゴリに分類されていく。一方、半固体状物２に発酵異常が生じると、半固体状物２中の代謝成分の状態量や、半固体状物２の状態量が、通常の計測値の範囲から逸脱するため、新しい計測データは新規のカテゴリに分類される。
【００８１】
例えば、４つのカテゴリ（Ｃａｔ．１〜４）が、発酵状態が正常であることを示す正常カテゴリであるとすると、新しい計測データが既存の正常カテゴリ（Ｃａｔ．１〜４）に分類されず新規のカテゴリ（Ｃａｔ．５）に分類される状態は、発酵異常が発生している可能性が高い状態となる。診断手段２６０では、発酵状態が未知の発酵物について計測された現在の計測データが、正常カテゴリに分類されないことを、頻度、割合等の数量として定量することにより診断を行うことができる。
【００８２】
正常カテゴリに分類されない計測データを定量する方法としては、基準時以降に正常カテゴリ以外のカテゴリに分類された計測データの数を計数する方法、基準時以降に生成した新規のカテゴリの数を計数する方法、基準時以降に生成した新規のカテゴリの既存のカテゴリに対する割合を計算する方法等を用いることができる。基準時としては、例えば、正常カテゴリを学習するためのフェーズを終了した後であって、発酵状態を診断しようとする半固体状物２の発酵を開始する時点を設定することができる。
【００８３】
半固体状物２の発酵状態が異常であると診断する具体的条件としては、例えば、基準時以降に正常カテゴリ以外のカテゴリに分類された計測データの数が閾値を超えたときや、基準時以降に生成した新規のカテゴリの数が閾値を超えたときや、基準時以降に生成した新規のカテゴリの既存のカテゴリに対する割合が閾値を超えたとき等が挙げられる。
【００８４】
次に、本実施形態に係る発酵状態監視装置の制御方法（運転方法）について説明する。
【００８５】
発酵状態監視装置１００は、半固体状物（発酵物）２の発酵状態の診断を行うに際して、学習フェーズと、診断フェーズと、に分けて運転することができる。学習フェーズは、半固体状物２の発酵状態について機械学習を行う段階である。診断フェーズは、半固体状物２の発酵状態を診断する段階である。
【００８６】
学習フェーズでは、発酵状態が正常である半固体状物２が一定数以上得られるように、多数の半固体状物２を通常の発酵条件を含む種々の発酵条件で発酵させて、半固体状物２中の代謝成分の状態量や半固体状物２の状態量を計測し、計測データのパターンを学習させる。学習フェーズの発酵は、実験室レベルの小規模な発酵用容器で行ってもよいし、完成品の生産に用いる生産レベルの発酵用容器で行ってもよい。
【００８７】
診断フェーズでは、発酵状態を診断しようとする半固体状物２を、学習フェーズと同様の発酵条件で発酵させて、半固体状物２中の代謝成分の状態量や半固体状物２の状態量を計測し、半固体状物２の発酵状態を診断する。診断フェーズの発酵は、通常、完成品の生産に用いる生産レベルの発酵用容器で行う。
【００８８】
図６は、発酵状態監視装置の学習フェーズにおける運転を示す図である。
図６に示すように、学習フェーズは、発酵工程Ｓ１１と、計測工程Ｓ１２と、分析工程Ｓ１３と、データベース生成工程Ｓ１４と、カテゴライズ工程Ｓ１５と、を含む。
【００８９】
発酵工程Ｓ１１では、診断用のデータベース（分類結果データベース２５０）を作成するために、発酵用容器２１内で半固体状物２の発酵を行う。発酵用容器２１には、所定の原材料比で混合された半固体状物２を入れる。発酵用容器２１を収容した発酵室２０は、温度制御装置１７や湿度制御装置１８によって、発酵状態が正常になるような所定の温度及び所定の湿度に維持する。
【００９０】
計測工程Ｓ１２では、光学計測器１によって、発酵用容器２１内で発酵している半固体状物（発酵物）２に光を照射して半固体状物２からの反射光の光学スペクトルを計測する。また、距離センサ２３によって、発酵用容器２１内で発酵している半固体状物２の高さを計測する。学習フェーズで計測された多数の半固体状物２は、最終的な発酵状態が正常であることが、診断フェーズの前に確認される。
【００９１】
発酵用容器２１内で発酵している半固体状物２は、発酵の進行に伴って種々の代謝成分を生成し、二酸化炭素で膨張して高さ・体積が増大する。光学スペクトルや半固体状物２の高さの計測は、発酵が進行している間に、所定のサンプリング間隔で互いに同期的な時期に行う。計測結果の信号は、発酵時間のデータと共に分析制御装置１５に収集される。
【００９２】
分析工程Ｓ１３では、計測工程Ｓ１２で計測された光学スペクトルに基づいて、半固体状物２中の代謝成分の状態量を求める。また、計測工程Ｓ１２で計測された半固体状物２の高さに基づいて、半固体状物２の状態量を求める。
【００９３】
半固体状物２中の代謝成分の状態量としては、例えば、各種の代謝成分の濃度［Ｃｉ（ｔ）］、各種の代謝成分の濃度の時間変化量［ｄＣｉ（ｔ）／ｄｔ］等が、光学スペクトルに基づく多変量解析等で求められる。また、半固体状物２の状態量としては、例えば、半固体状物２の高さ［Ｈ（ｔ）］、半固体状物２の高さの時間変化量［ｄＨ（ｔ）／ｄｔ］等が求められる。或いは、半固体状物２の体積［Ｖ（ｔ）］、半固体状物２の体積の時間変化量［ｄＶ（ｔ）／ｄｔ］等が、高さと発酵用容器２１の平面面積に基づいて求められる。
【００９４】
データベース生成工程Ｓ１４では、発酵時間のデータや半固体状物２中の代謝成分の状態量のデータや半固体状物２の状態量のデータを含む多次元データである計測データから、時系列のデータベース（計測データベース２３０）を生成する。生成された計測結果のデータベースは、診断装置１６に記憶される。
【００９５】
カテゴライズ工程Ｓ１５では、データベース生成工程Ｓ１４で生成された計測データを、データの類似度に応じたカテゴリ毎に分類する。計測データベース２３０中の計測データのカテゴライズが行われると、カテゴリ毎の識別子が付与されたデータベース（分類結果データベース２５０）が生成される。生成された分類結果のデータベースは、診断装置１６に記憶される。
【００９６】
以上の学習フェーズの運転によると、発酵状態が正常である半固体状物２について計測が行われるため、半固体状物２の正常な発酵状態が学習される。診断装置１６は、発酵状態が正常である発酵物について計測された計測データを、データの類似度に応じたカテゴリ毎に分類された状態で分類結果データベース２５０に格納している状態になる。このような学習済みの診断装置１６を備える発酵状態監視装置１００によると、発酵中又は発酵後に異常発酵を自動的に検知可能なシステムが構築される。
【００９７】
なお、学習フェーズにおける計測データの分類は、ＡＲＴを用いて行ってもよいが、他のクラスタリング技術を用いて行ってもよい。但し、ＡＲＴを用いると、計測データを、データの類似度に応じた複数のカテゴリ毎に分類し、計測データが、分類結果データベース２５０に格納されている既存のカテゴリに分類されないとき、新しいカテゴリを生成して当該計測データを帰属させることができる。
【００９８】
学習フェーズでＡＲＴを用いると、計測される多数の半固体状物２の発酵状態が互いに異なるような場合であっても、新規のカテゴリが自動生成されて学習されるため、種々の発酵状態を網羅した診断用のデータベース（分類結果データベース２５０）を容易に構築することが可能である。正常カテゴリからなる診断用のデータベースを用意するにあたり、多数の半固体状物２の中から発酵状態が正常な半固体状物２のみを抽出する必要をなくすことができる。
【００９９】
図７は、発酵状態監視装置の診断フェーズにおける使用態様の一例を模式的に示す図である。図８は、発酵状態監視装置の診断フェーズにおける運転を示す図である。
図７に示すように、診断フェーズでは、光学計測器１と発酵している半固体状物２の表面との間の距離が、学習フェーズと同様の距離に調整されて計測が行われる。図８に示すように、診断フェーズは、発酵工程Ｓ２１と、計測工程Ｓ２２と、分析工程Ｓ２３と、多次元データ生成工程Ｓ２４と、診断工程Ｓ２５と、判定工程Ｓ２６と、を含む。
【０１００】
発酵工程Ｓ２１では、目的の発酵状態に発酵させた半固体状物２（発酵物）を生産するために、発酵用容器２１内で半固体状物２の発酵を行う。発酵用容器２１には、所定の原材料比で混合された半固体状物２を入れる。発酵用容器２１を収容した発酵室２０は、温度制御装置１７や湿度制御装置１８によって、発酵状態が正常になるような所定の温度及び所定の湿度に維持する。
【０１０１】
計測工程Ｓ２２では、光学計測器１によって、発酵用容器２１内で発酵している半固体状物（発酵物）２に光を照射して半固体状物２からの反射光の光学スペクトルを計測する。また、距離センサ２３によって、発酵用容器２１内で発酵している半固体状物２の高さを計測する。診断フェーズでは、学習フェーズと同様の発酵時間における光学スペクトルや半固体状物２の高さを計測する。計測結果の信号は、発酵時間のデータと共に分析制御装置１５に収集される。
【０１０２】
分析工程Ｓ２３では、計測工程Ｓ２２で計測された光学スペクトルに基づいて、半固体状物２中の代謝成分の状態量を求める。また、計測工程Ｓ２２で計測された半固体状物２の高さに基づいて、半固体状物２の状態量を求める。これらの状態量は、分析工程Ｓ１３と同様に求められる。
【０１０３】
多次元データ生成工程Ｓ２４では、発酵時間のデータや半固体状物２中の代謝成分の状態量のデータや半固体状物２の状態量のデータを含む多次元データであり、発酵している半固体状物２の現在の状態を示す計測データを生成する。計測データは、診断装置１６の計測データベース２３０に格納される。
【０１０４】
診断工程Ｓ２５では、半固体状物２中の代謝成分の状態量や、半固体状物２の状態量に基づいて、半固体状物２の発酵状態が異常であるか否かを診断する。発酵状態の診断は、多次元データ生成工程Ｓ２４で生成された発酵状態が未知の発酵物について計測された現在の計測データについて、既存の正常カテゴリに分類されないことを示す数量を定量することによって行う。正常カテゴリのデータは、データベース生成工程Ｓ１４で生成された分類結果データベース２６０から取得される。発酵状態が未知の発酵物について計測された計測データが正常カテゴリに分類されないことを示す数量が、予め設定されている閾値を超えたとき、半固体状物２の発酵状態が異常であると診断することができる。
【０１０５】
判定の結果、半固体状物２の発酵状態が異常でないと（診断工程Ｓ２５；Ｎｏ）、判定工程Ｓ２６に進む。
【０１０６】
一方、判定の結果、半固体状物２の発酵状態が異常であると（診断工程Ｓ２５；Ｙｅｓ）、半固体状物２の発酵を終了する。このとき、表示手段１４０は、半固体状物（発酵物）２の発酵状態が不良である旨を表示する。発酵用容器２１内の半固体状物２は、発酵状態が不良であるため、以降の工程から除くことができる。
【０１０７】
判定工程Ｓ２６では、半固体状物２の発酵が所定の終了条件に達したか否かが判定される。発酵の終了条件としては、例えば、所定の総発酵時間等のような適宜の条件を設定することができる。発酵の終了条件は、分析制御装置１５、診断装置１６、発酵制御装置１９等に設定することができる。
【０１０８】
判定の結果、半固体状物２の発酵が所定の終了条件に達していないと（判定工程Ｓ２６；Ｎｏ）、発酵工程Ｓ２１に戻り、半固体状物２の発酵を継続する。
【０１０９】
一方、判定の結果、半固体状物２の発酵が所定の終了条件に達していると（判定工程Ｓ２６；Ｙｅｓ）、半固体状物２の発酵を終了する。発酵用容器２１内の半固体状物（発酵物）２は、発酵状態が正常であるため、以降の工程等に送ることができる。
【０１１０】
以上の診断フェーズの運転によると、発酵中の半固体状物２の発酵状態が、学習フェーズで学習された正常な発酵状態に基づいて診断されて、半固体状物２に発酵異常が発生したとき、その半固体状物２の発酵が終了される。発酵状態が正常でない半固体状物２が以降の工程に送られるのを未然に防止することができるため、多数の半固体状物２同士の間や、多数のロット同士の間で品質にばらつきを生じるのを防ぐことができる。また、発酵状態が正常でない半固体状物２が以降の工程に送られて、原材料コスト、ホイロの運転コスト等に無駄が生じるのを防ぐことができる。
【０１１１】
なお、診断フェーズにおける計測データの分類は、ＡＲＴを用いて行ってもよいが、他のクラスタリング技術を用いて行ってもよい。但し、ＡＲＴを用いると、計測データを、データの類似度に応じた複数のカテゴリ毎に分類し、計測データが、分類結果データベース２５０に格納されている既存のカテゴリに分類されないとき、新しいカテゴリを生成して当該計測データを帰属させることができる。
【０１１２】
診断フェーズでＡＲＴを用いると、計測される多数の半固体状物２の発酵状態が互いに異なるような場合に、新規のカテゴリが自動生成されて、計測データの新しいパターンとして学習されるため、次回の診断における精度を向上させることができる。
【０１１３】
以上の発酵状態監視装置１００及び発酵状態監視装置の制御方法によると、光学的に計測される代謝成分の状態量に基づいて、一般に計測が容易でない半固体状物の発酵状態を非侵襲的に診断することができる。発酵状態の診断には、クラスタリング技術が用いられるため、発酵物の発酵状態を機械学習によって強化して高精度な診断を行うことができる。また、発酵状態の診断には、代謝成分の状態量が用いられるため、発酵物の高さのような物理的な状態量のみを用いる場合とは異なり、発酵による化学的な状態が発酵物の品質に悪影響を及ぼすのを避けることができる。そのため、発酵物の生産の効率化や後工程における作業労力の軽減を図ることができる。
【０１１４】
次に、本実施形態に係る発酵装置及び発酵装置の制御方法（運転方法）について説明する。
【０１１５】
前記の発酵状態監視装置１００は、光学計測器１と、アンプ１３と、Ａ／Ｄコンバータ１４と、分析制御装置（分析装置）１５と、診断装置１６と、昇降装置２２と、距離センサ２３とを備えているが、更に、前記の発酵用容器２１と前記の発酵制御装置１９とを一体的に設けて、半固体状物２の発酵状態を監視しながら発酵物を生産する発酵装置とすることもできる。
【０１１６】
発酵装置においては、診断装置１６による半固体状物２の発酵状態の診断の結果に基づいて、温度制御装置１７の制御を変更することができる。診断装置１６は、温度制御装置１７の出力を制御するコントローラを備えることができる。また、診断装置１６は、湿度制御装置１８の出力を制御するコントローラを備えることができる。
【０１１７】
図９は、発酵装置の診断フェーズにおける運転を示す図である。
図９に示すように、発酵装置における診断フェーズは、前記の発酵状態監視装置１００と同様に、発酵工程Ｓ２１と、計測工程Ｓ２２と、分析工程Ｓ２３と、多次元データ生成工程Ｓ２４と、診断工程Ｓ２５と、判定工程Ｓ２６と、を含む。
【０１１８】
発酵装置は、診断フェーズの運転において、半固体状物（発酵物）２の発酵状態が異常であると診断されたとき、半固体状物２の発酵を停止する制御を行うことができる。
【０１１９】
発酵装置における診断フェーズが、前記の発酵状態監視装置１００と異なる点は、診断工程Ｓ２５で、半固体状物２中の代謝成分の状態量や、半固体状物２の状態量に基づいて、半固体状物２の発酵状態が異常であるか否かを診断し、判定の結果、半固体状物２の発酵状態が異常であると（診断工程Ｓ２５；Ｙｅｓ）、制御工程Ｓ２８に進む点である。
【０１２０】
制御工程Ｓ２８では、発酵状態が異常であると診断された半固体状物２の発酵温度を高くする制御、又は、発酵状態が異常であると診断された半固体状物２の発酵温度を低くする制御を行う。そして、制御を行った後、発酵工程Ｓ２１に戻り、半固体状物２の発酵を継続する。半固体状物２の発酵状態が異常であると診断されたとき、表示手段１４０は、半固体状物（発酵物）２の発酵状態が不良である旨を表示してもよい。
【０１２１】
半固体状物２の発酵温度は、温度制御装置１７の出力を変更することによって制御することができる。温度制御装置１７の出力は、例えば、予め求めておいた半固体状物２の発酵状態と発酵温度との関係に基づく変化量で変更してもよいし、オンラインで計測している半固体状物２の発酵状態に基づく変化量で変更してもよい。
【０１２２】
以上の発酵装置及び発酵装置の制御方法によると、半固体状物の発酵状態を非侵襲的に診断し、異常発酵が発生した場合には、発酵物の発酵条件を変更することができる。例えば、発酵物の発酵状態が異常であると診断されたとき、発酵物の発酵温度を高くする制御を行うと、発酵している発酵物の温度が上昇して発酵が促進されるため、代謝異常等が原因で起こる発酵不良を抑制することができる。
【０１２３】
以上、本発明について説明したが、本発明は、前記の実施形態や変形例に限定されるものではなく、本発明の趣旨を逸脱しない範囲において種々の変更が可能である。例えば、本発明は、必ずしも前記の実施形態や変形例が備える全ての構成を備えるものに限定されない。或る実施形態や変形例の構成の一部を他の構成に置き換えたり、或る実施形態や変形例の構成の一部を他の形態に追加したり、或る実施形態や変形例の構成の一部を省略したりすることができる。
【０１２４】
例えば、前記の発酵状態監視装置１００や発酵装置は、発酵物からの反射光を計測する光学計測器１を備えている。しかし、発酵状態監視装置や発酵装置は、発酵物の光透過性が十分な場合、発酵物からの透過光を計測する構成としてもよい。透過光の光学スペクトルに基づく場合であっても、同様の方法で発酵物の発酵状態を診断することができる。
【０１２５】
また、前記の発酵状態監視装置の制御方法では、発酵状態監視装置１００が学習フェーズと診断フェーズとに分けて運転されている。しかし、診断用のデータベース（分類結果データベース２５０）が予め作成されている場合、学習フェーズと診断フェーズとに分けず、発酵状態を診断しようとする半固体状物２を連続的に発酵させて診断を行ってもよい。例えば、ＡＲＴを用いると、発酵中に新規のカテゴリが自動生成されて診断用のデータベースが成長するため、学習しつつ診断を進めることができる。
【０１２６】
また、前記の発酵装置の制御方法では、半固体状物２の発酵状態が異常であると診断されたとき、制御工程Ｓ２８に進んでいる。しかし、発酵装置においては、半固体状物２の発酵状態が異常であると診断されたとき、発酵状態の異常の度合・性質等に応じて、半固体状物２の発酵を停止する制御、半固体状物２の発酵温度を高くする制御、及び、半固体状物２の発酵温度を低くする制御のうち、いずれを実行してもよい。
【０１２７】
また、前記の実施形態や変形例の各構成、機能等は、それらの一部又は全部を、集積回路等のハードウェアで実現してもよいし、同等の機能を実現するプログラムを実行するソフトウェアで実現してもよい。データベース等の情報は、ハードディスク等の記憶装置の他、メモリ、ＳＳＤ（Solid State Drive）等の記録装置や、ＩＣ（Integrated Circuit）カード、ＳＤカード、ＤＶＤ（Digital Versatile Disc）、フラッシュメモリ、光ディスク等の記録媒体に記憶させてもよい。
【０１２８】
また、各図における、制御線や情報線は、有線であってもよいし、無線であってもよい。また、制御線や情報線は、図示される線に限定されるものではない。
【実施例】
【０１２９】
以下、実施例を示して本発明について具体的に説明するが、本発明の技術的範囲はこれに限定されるものではない。
【０１３０】
半固体状物の発酵状態の診断を、半固体状物中の代謝成分の状態量と半固体状物の状態量とに基づいて実施した。診断の対象としては、パン生地を用いた。
【０１３１】
正常な発酵状態を模擬するため、発酵剤として力価が低いイーストを用いてパン生地を作製した。パン生地は、ホームベーカリー「ＳＨＢ−７１２」（シロカ社製）を用いて、表２に示す原材料比で混合して作製した。そして、作製したパン生地を発酵用容器に入れ、定温乾燥器「ＳＯＦＷ−６００Ｓ」（アズワン社製）を用いて、２８℃で８０分間発酵を行った。
【０１３２】
【表２】
2020165704.tif 000004
【０１３３】
パン生地の発酵中には、近赤外成分計「ＫＪＴ−７０」（ケツト科学研究所社製）を用いて、代謝成分の量を計測した。また、レーザ距離計「ＧＬＭ１５０Ｃ」（ボッシュ社製）を用いて、パン生地の高さを計測した。そして、計測された代謝成分の量のデータと、パン生地の高さのデータとを用いて、学習用のデータベースを作成した。
【０１３４】
また、異常な発酵状態を模擬するため、発酵剤として力価が高いイーストを用いてパン生地を作製した。パン生地の作製、発酵、代謝成分の量やパン生地の高さの計測は、力価が低いイーストの場合と同様にした。そして、計測された代謝成分の量のデータと、パン生地の高さのデータとを用いて、診断用のデータベースを作成した。
【０１３５】
続いて、力価が低いイーストの発酵で作成した学習用のデータベースを用いて、ＡＲＴを用いた機械学習を実施した。次いで、力価が高いイーストの発酵で作成した診断用のデータベースを用いて、データの類似度に応じたクラスタリングによる発酵状態の診断を行った。
【０１３６】
図１０は、アルコール発酵の代謝経路を示す図である。
図１０に示すように、パン生地を発酵させる場合、原材料である小麦粉等に含まれるグルコースが代謝されて、複数の代謝成分が生成される。代謝成分としては、例えば、ピルビン酸、アセトアルデヒド、エタノールが生成される。
【０１３７】
グルコースは、イースト等の解糖系において、多段階の酵素反応により、ピルビン酸に変換される。ピルビン酸は、ピルビン酸デカルボキシラーゼによってアセトアルデヒドに変換される。この反応では、等モルの二酸化炭素が脱離してパン生地を膨張させる。アセトアルデヒドは、アルコール脱水素酵素によってエタノールに還元される。
【０１３８】
図１１は、還元的クエン酸回路の代謝経路を示す図である。
図１１に示すように、パン生地を発酵させる場合、酸素が欠乏するパン生地の内部が嫌気性条件になるため、還元型クエン酸回路で代謝が進み、複数の代謝成分が生成される。代謝成分としては、例えば、乳酸、オキサロ酢酸、Ｌ−リンゴ酸、フマル酸、コハク酸が生成される。
【０１３９】
ピルビン酸は、乳酸脱水素酵素によって乳酸に還元される。また、ピルビン酸は、ピルビン酸カルボキシラーゼによってオキサロ酢酸に変換される。オキサロ酢酸は、リンゴ酸脱水素酵素によってＬ−リンゴ酸に還元される。Ｌ−リンゴ酸は、フマラーゼによってフマル酸に変換される。フマル酸は、コハク酸脱水素酵素によってコハク酸に還元される。
【０１４０】
図１０及び図１１に示すように、これらグルコース、二酸化炭素、ピルビン酸、アセトアルデヒド、エタノール、乳酸、オキサロ酢酸、Ｌ−リンゴ酸、フマル酸、コハク酸の濃度が発酵状態によって変化するため、これらの代謝成分の状態量を分析することによって、発酵状態の異常を診断することができる。
【０１４１】
図１２は、パン生地の発酵状態を診断した結果を示す図である。
図１２において、横軸は、発酵を開始してからパン生地の計測を行うまでの経過時間（ｍｉｎ）、縦軸は、データの類似度に応じて分類した各カテゴリを識別するための番号を示す。□のプロットは、力価が低いイーストの発酵で作成された多次元データ、●のプロットは、力価が高いイーストの発酵で作成された多次元データに相当する。
【０１４２】
図１２に示すように、力価が低いイーストの発酵では、代謝成分の量やパン生地の高さの多次元データが、カテゴリ番号１又はカテゴリ番号２のいずれかのカテゴリに分類された。カテゴリ番号１及びカテゴリ番号２は、通常の発酵で分類される正常なカテゴリであり、パン生地の発酵状態が良好であることを意味している。
【０１４３】
これに対し、力価が高いイーストの発酵では、代謝成分の量やパン生地の高さの多次元データが、４０分の発酵時間でカテゴリ番号３に分類された後、６０分の発酵時間でカテゴリ番号５に分類された。カテゴリ番号３は、通常の発酵で分類されることがある正常なカテゴリであり、パン生地の発酵状態が良好であることを意味している。しかし、カテゴリ番号５は、通常の発酵で分類される頻度が低い異常なカテゴリであり、パン生地の発酵状態が不良であることを意味している。
【０１４４】
よって、光学的に計測される半固体状物中の代謝成分の状態量や、光学的に計測される半固体状物の状態量に基づいて、一般に計測が容易でない半固体状物の発酵状態を非侵襲的に診断することができる。グルコース等の発酵の基質や、二酸化炭素、ピルビン酸、アセトアルデヒド、エタノール、乳酸、オキサロ酢酸、Ｌ−リンゴ酸、フマル酸、コハク酸等の代謝成分は、発酵状態を診断する有効な指標となる。
【符号の説明】
【０１４５】
１００  発酵状態監視装置
１      光学計測器
２      半固体状物
３      光源
４      回転盤
５      試料光
６      参照光
７      投光ミラー
８      集光ミラー
９      光学フィルタ
１０    検出器
１１    反射ミラー
１２    反射ミラー
１３    アンプ
１４    Ａ／Ｄコンバータ
１５    分析制御装置（分析装置）
１６    診断装置
１７    温度制御装置
１８    湿度制御装置
１９    発酵制御装置
２０    発酵室
２１    発酵用容器
２２    昇降装置
２３    距離センサ
２４    温度センサ
２５    湿度センサ
１２０  入力手段
１４０  表示手段
２１０  外部入力インターフェイス
２２０  外部出力インターフェイス
２３０  計測データベース
２４０  分類手段
２５０  分類結果データベース
２６０  診断手段
【図１】
2020165704.tif 000005
【図２】
2020165704.tif 000006
【図３】
2020165704.tif 000007
【図４】
2020165704.tif 000008
【図５】
2020165704.tif 000009
【図６】
2020165704.tif 000010
【図７】
2020165704.tif 000011
【図８】
2020165704.tif 000012
【図９】
2020165704.tif 000013
【図１０】
2020165704.tif 000014
【図１１】
2020165704.tif 000015
【図１２】
2020165704.tif 000016